(57)【要約】      （修正有）【課題】発光ダイオードのライトチューブ装置の提供。【解決手段】マルチカラー変換と多機能照明装飾変化を具えたライトチューブ装置であり、導光カバー１と、該導光カバーに配置された発光装置２で構成され、該導光カバーに導光部１１が設けられ、この導光部の二つの自由端それぞれより接合部１２が延伸され、該導光部内壁に連続性の凸部１３（鋸歯状、円弧状或いは波状）があり、各凸部間に導光凹溝１４があり、発光装置が該導光カバー内に配置され、該発光装置が基板２１を具え、この基板にライトチューブの長さにより少なくとも一つの発光ダイオード２２が設けられ、この発光ダイオードが発光する時、光３が導光カバー内部の導光凹溝に投射されると、光がライトチューブ表面に複数の光の円弧４を発生させ、照明を提供するほか、視覚美観効果を増すことができる。【選択図】図５
0003102083.tif 000002
【実用新案登録請求の範囲】
【請求項１】
マルチカラー変換及び多機能照明装飾変化を具えた発光ダイオードのライトチューブ装置であり、導光カバーと発光装置で組成され、
該導光カバーは導光部を具え、この導光部の二つの自由端それぞれより接合部が延伸され、該導光部内壁に連続性の凸部があり、各凸部間に導光凹溝があり、
該発光装置は該導光カバー内に配置され、基板を具え、この基板にライトチューブ装置の長さにより少なくとも一つの発光ダイオードが設けられ、
発光ダイオードが発光する時、光が導光カバー内部の導光凹溝に投射されると、光がライトチューブ表面に複数の光の円弧を発生させ、照明を提供するほか、視覚上の美観効果を増すことができることを特徴とする、発光ダイオードのライトチューブ装置。
【請求項２】
請求項１記載の発光ダイオードのライトチューブ装置において、導光カバーが透明或いは不透明のプラスチック材料で形成されたことを特徴とする、発光ダイオードのライトチューブ装置。
【請求項３】
請求項１記載の発光ダイオードのライトチューブ装置において、凸部が鋸歯状、円弧状或いは波状のいずれかとされたことを特徴とする、発光ダイオードのライトチューブ装置。
【請求項４】
請求項１記載の発光ダイオードのライトチューブ装置において、凸部が螺旋状に導光カバーの内壁に設けられたことを特徴とする、発光ダイオードのライトチューブ装置。
【請求項５】
請求項１記載の発光ダイオードのライトチューブ装置において、導光カバーの内壁に少なくとも一組の相互に対応する直線状の滑り溝が設けられたことを特徴とする、発光ダイオードのライトチューブ装置。
【請求項６】
請求項１記載の発光ダイオードのライトチューブ装置において、基板の制御回路が設けられたことを特徴とする、発光ダイオードのライトチューブ装置。
【請求項７】
請求項１記載の発光ダイオードのライトチューブ装置において、発光ダイオードがマルチカラー変化を有するか、或いは複数の単一カラーの発光ダイオードのいずれかとされたことを特徴とする、発光ダイオードのライトチューブ装置。
【請求項８】
請求項１記載の発光ダイオードのライトチューブ装置において、導光カバーの外部が半透明の有色、無色或いはフロスト処理された光カバーで被覆されたことを特徴とする、発光ダイオードのライトチューブ装置。
【請求項９】
請求項１記載の発光ダイオードのライトチューブ装置において、ライトチューブ装置に直接的或いは間接的な反射を行なう反射板が組み合わされたことを特徴とする、発光ダイオードのライトチューブ装置。
【請求項１０】
請求項９記載の発光ダイオードのライトチューブ装置において、ライトチューブ装置と反射板が共にランプボックス中に取り付けられたことを特徴とする、発光ダイオードのライトチューブ装置。
【請求項１１】
請求項１記載の発光ダイオードのライトチューブ装置において、発光装置の基板にＤＭＸ或いはコンピュータのいずれかの制御装置が外接されて、発光ダイオードが制御されてカラー変換、発光時間間欠状態、及び発光強弱変化が制御されることを特徴とする、発光ダイオードのライトチューブ装置。
【請求項１２】
請求項１記載の発光ダイオードのライトチューブ装置において、発光装置の基板がコネクタを利用して外部装置に接続可能とされて使用者による取り付け、修理に便利とされたことを特徴とする、発光ダイオードのライトチューブ装置。
【考案の詳細な説明】
【技術分野】
【０００１】
本考案は一種の発光ダイオードのライトチューブ装置に係り、特に、発光ダイオードモジュールと特殊設計の透明チューブを利用してなり、長寿命で、節電でき、直列に接続して組合せることができ、色彩の多変換が可能で、プログラマブルな発光ダイオードのライトチューブ装置に関する。
【背景技術】
【０００２】
周知のとおり、現在、道路やビルの外壁、或いは屋上などに各種の会社の販売商品の広告看板が見られる。また、ビルの外壁の照明は、夜になると内部或いは外部に配置された照明装置が点灯され、この照明装置の発生する光により看板にさまざまな変化を発生させて、人々が看板内容をはっきりと見えるようにしたり、ビルのランドマーク性を現出している。
【０００３】
しかし、これらの室外照明に使用される照明装置、例えばネオンライト、蛍光灯、或いはバルブ、及び現在最もよく使用されているＨＩＤランプは、一晩中点灯されると、その消費電力の問題が業者を悩ませる。なぜなら、これらの照明装置のワット数は高く、極めて電力消費が大きいためである。このためある業者は夜間の営業が終了すると、看板或いはビルの外壁照明装置の電源を切断するか、或いはコントローラーで照明時間を制御している。しかし、これらは根本的な解決にはならず、業者はなおも大きな電気代を支払わねばならない。
【０００４】
このほか、使用される照明装置（ネオンライト、蛍光灯、ＨＩＤランプ等）は長時間点灯されると、照明装置自身が熱を発生し、この熱が照明装置の損壊をもたらす主要な原因となったり、光自身の発生する熱が看板材料を変質させたりする。
【考案の開示】
【考案が解決しようとする課題】
【０００５】
本考案の主要な目的は、上述の従来の技術の欠点を解決し、欠点の存在を無くすことにあり、即ち、本考案は、発光ダイオードモジュールと特殊設計の透明チューブを利用して構成した、長寿命で、節電でき、直列に接続して組合せることができ、色彩の多変換が可能で、プログラマブルな発光ダイオードのライトチューブ装置を提供するものである。
【課題を解決するための手段】
【０００６】
請求項１の考案は、マルチカラー変換及び多機能照明装飾変化を具えた発光ダイオードのライトチューブ装置であり、導光カバーと発光装置で組成され、
該導光カバーは導光部を具え、この導光部の二つの自由端それぞれより接合部が延伸され、該導光部内壁に連続性の凸部があり、各凸部間に導光凹溝があり、
該発光装置は該導光カバー内に配置され、基板を具え、この基板にライトチューブ装置の長さにより少なくとも一つの発光ダイオードが設けられ、
発光ダイオードが発光する時、光が導光カバー内部の導光凹溝に投射されると、光がライトチューブ表面に複数の光の円弧を発生させ、照明を提供するほか、視覚上の美観効果を増すことができることを特徴とする、発光ダイオードのライトチューブ装置としている。
請求項２の考案は、請求項１記載の発光ダイオードのライトチューブ装置において、導光カバーが透明或いは不透明のプラスチック材料で形成されたことを特徴とする、発光ダイオードのライトチューブ装置としている。
請求項３の考案は、請求項１記載の発光ダイオードのライトチューブ装置において、凸部が鋸歯状、円弧状或いは波状のいずれかとされたことを特徴とする、発光ダイオードのライトチューブ装置としている。
請求項４の考案は、請求項１記載の発光ダイオードのライトチューブ装置において、凸部が螺旋状に導光カバーの内壁に設けられたことを特徴とする、発光ダイオードのライトチューブ装置としている。
請求項５の考案は、請求項１記載の発光ダイオードのライトチューブ装置において、導光カバーの内壁に少なくとも一組の相互に対応する直線状の滑り溝が設けられたことを特徴とする、発光ダイオードのライトチューブ装置としている。
請求項６の考案は、請求項１記載の発光ダイオードのライトチューブ装置において、基板の制御回路が設けられたことを特徴とする、発光ダイオードのライトチューブ装置としている。
請求項７の考案は、請求項１記載の発光ダイオードのライトチューブ装置において、発光ダイオードがマルチカラー変化を有するか、或いは複数の単一カラーの発光ダイオードのいずれかとされたことを特徴とする、発光ダイオードのライトチューブ装置としている。
請求項８の考案は、請求項１記載の発光ダイオードのライトチューブ装置において、導光カバーの外部が半透明の有色、無色或いはフロスト処理された光カバーで被覆されたことを特徴とする、発光ダイオードのライトチューブ装置としている。
請求項９の考案は、請求項１記載の発光ダイオードのライトチューブ装置において、ライトチューブ装置に直接的或いは間接的な反射を行なう反射板が組み合わされたことを特徴とする、発光ダイオードのライトチューブ装置としている。
請求項１０の考案は、請求項９記載の発光ダイオードのライトチューブ装置において、ライトチューブ装置と反射板が共にランプボックス中に取り付けられたことを特徴とする、発光ダイオードのライトチューブ装置としている。
請求項１１の考案は、請求項１記載の発光ダイオードのライトチューブ装置において、発光装置の基板にＤＭＸ或いはコンピュータのいずれかの制御装置が外接されて、発光ダイオードが制御されてカラー変換、発光時間間欠状態、及び発光強弱変化が制御されることを特徴とする、発光ダイオードのライトチューブ装置としている。
請求項１２の考案は、請求項１記載の発光ダイオードのライトチューブ装置において、発光装置の基板がコネクタを利用して外部装置に接続可能とされて使用者による取り付け、修理に便利とされたことを特徴とする、発光ダイオードのライトチューブ装置としている。
【考案の効果】
【０００７】
本考案は、従来の技術の欠点を解決し、欠点の存在を無くしており、即ち、本考案は、発光ダイオードモジュールと特殊設計の透明チューブを利用して構成した、長寿命で、節電でき、直列に接続して組合せることができ、色彩の多変換が可能で、プログラマブルな発光ダイオードのライトチューブ装置を提供している。
【考案を実施するための最良の形態】
【０００８】
本考案の発光ダイオードのライトチューブ装置は、導光カバーと、該導光カバーに配置された発光装置で構成され、該導光カバーに導光部が設けられ、この導光部の二つの自由端それぞれより接合部が延伸され、該導光部内壁に連続性の凸部（鋸歯状、円弧状或いは波状）があり、各凸部間に導光凹溝があり、発光装置が該導光カバー内に配置され、該発光装置が基板を具え、この基板にライトチューブの長さにより少なくとも一つの発光ダイオードが設けられ、この発光ダイオードが発光する時、光が導光カバー内部の導光凹溝に投射されると、光がライトチューブ表面に複数の光の円弧を発生させ、照明を提供するほか、視覚上の美観効果を増すことができる。
【実施例１】
【０００９】
図１及び図２は本考案のライトチューブの分解斜視図、及び図１のＡ部分の拡大図である。本考案の発光ダイオードのライトチューブ装置は、導光カバー１と、該導光カバー１に配置された発光装置２で構成され、該発光装置２の発光ダイオード２２によりマルチカラー変換と多機能照明装飾変化を発生するライトチューブ装置である。
【００１０】
上述の導光カバー１は透明或いは不透明のプラスチック材料で形成され、それに導光部１１が設けられ、該導光部１１の二つの自由端それぞれより接合部１２が延伸され、該接合部１２が導光カバー１のランプボックス（図示せず）或いはビルの壁面への取り付けに供される。別に、導光部１１内壁に連続性の鋸歯状、円弧状或いは波状を呈する凸部１３があり（或いは、この凸部１３が螺旋状方式で導光部１１内壁に設けられる）、且つ各凸部１３間に導光凹溝１４があり、光が導光凹溝１４に照射される時、光に複数の光の円弧を発生させることができる。また、導光カバー１の内壁に少なくとも一つの、相互に対応する直線状の滑り溝１５、１５’が設けられ、この滑り溝１５、１５’により発光装置２がしっかりと導光カバー１内部に組み付けられる。
【００１１】
該発光装置２は、基板２１を具え、この基板２１に制御回路（図示せず）が設けられ、該制御回路は基板２１上に設けられた複数の発光ダイオード２２を制御することができ、この発光ダイオード２２はマルチカラー変化を有するか、複数の単一カラーの発光ダイオード２２のいずれかで構成され、使用者がプログラムにより発光装置２を制御することにより、ライトチューブにマルチカラー光変化の効果を達成させることができる。
【００１２】
図３、４、５は本考案のライトチューブ装置の側面図、及びライトチューブ装置内部の光照射状態表示図、及び光照射後に発生する光の円弧表示図である。図示されるように、ライトチューブ装置を組み立てる時は、発光装置２の基板２１を導光カバー１内部の滑り溝１５、１５’に組み付けた後、基板２１に通電すると、該基板２１の制御回路が各発光ダイオード２２を制御して光３を発生させる。光３が導光カバー１内部の導光凹溝１４に投射されると、光３はライトチューブ表面に複数の光の円弧弧を発生させ、有効な照明を提供するほか、視覚上の美観を増す効果を提供する。
【００１３】
図６、７は本考案のライトチューブ装置内部の発光装置調整表示図である。図示されるように、本考案の導光カバー１内部には複数組の滑り溝１５、１５’を増設可能で、これにより発光装置２の組み付け位置の調整を行ない、また光３の導光カバー１内部の導光凹溝１４への投射の距離と範囲を調整してライトチューブに光を投射する効果を達成させることができる。
【００１４】
図８は本考案の別の実施例表示図である。図示されるように、この実施例では、組立完成したライトチューブ装置の導光カバー１の外部が半透明の有色、無色或いはフロスト処理された光カバー５で被覆され、ライトチューブ装置より投射される光が光カバー５を通過した後に、別の光効果を発生するか、或いは光カバー５を通過した光源が更に柔和で、快適で使用者の目にやさしいものとなるようにしている。
【００１５】
図９は本考案のまた別の実施例表示図である。図示されるように、この実施例では、組立完成したライトチューブ装置の外部に反射板６が配置され、ライトチューブ装置より投射される光が反射板６に反射され、さらに反射板６で光が集められてから投射され、これにより遠く広い照射範囲を達成している。
【００１６】
図１０は本考案のさらにまた別の実施例表示図である。図示されるように、この実施例では、組立完成したライトチューブ装置が、反射板６と共にランプボックス７中に取り付けられて、マルチランプチューブを具えた照明装置が形成されている。
【００１７】
さらに、発光装置２の基板２１は制御装置（ＤＭＸ或いはＰＣ）を外接してこれにより基板２１上の発光ダイオード２２のカラー変換、発光（点灯、滅灯）時間の間欠状態、及び発光の強さの変化等の多種類の機能を制御することができる。
【００１８】
さらに、発光装置２の基板２１は各装置或いは基板にコネクタを利用して外接可能で、使用者による取り付け、修理に便利とされている。
【００１９】
以上の実施例は本考案の実施範囲を限定するものではなく、本考案に基づきなしうる細部の修飾或いは改変は、いずれも本考案の請求範囲に属するものとする。
【図面の簡単な説明】
【００２０】
【図１】本考案のライトチューブの分解斜視図である。
【図２】図１のＡ部分の拡大図である。
【図３】本考案のライトチューブ装置の側面図である。
【図４】本考案のライトチューブ装置内部の光照射状態表示図である。
【図５】本考案の光照射後に発生する光の円弧表示図である。
【図６】本考案のライトチューブ装置内部の発光装置調整表示図である。
【図７】本考案のライトチューブ装置内部の発光装置調整表示図である。
【図８】本考案の別の実施例表示図である。
【図９】本考案のさらに別の実施例表示図である。
【図１０】本考案のさらにまた別の実施例表示図である。
【符号の説明】
【００２１】
１  導光カバー
１１  導光部
１２  接合部
１３  凸部
１４  導光凹溝
１５、１５’  滑り溝
２  発光装置
２１  基板
２２  発光ダイオード
３  光
４  光の円弧
５  光カバー
６  反射板
７  ランプボックス
【図１】
0003102083.tif 000003
【図２】
0003102083.tif 000004
【図３】
0003102083.tif 000005
【図４】
0003102083.tif 000006
【図５】
0003102083.tif 000007
【図６】
0003102083.tif 000008
【図７】
0003102083.tif 000009
【図８】
0003102083.tif 000010
【図９】
0003102083.tif 000011
【図１０】
0003102083.tif 000012